(57)【要約】【課題】  従来の折れネジ除去方法では、工具のセットに手間が掛かり、折れネジの折れ端面の中心部やネジ孔の中心部に正確にポンチを打つことが難しい。【解決手段】  本発明の折れネジ除去方法は、ネジ孔内周面とネジ孔内の折れネジ外周面の間にセンタリング具の筒状先端部を差込み、又はネジ孔の外に突出している折れネジの折れ端部外周にセンタリング具の嵌合空間部を被せ、又は折れネジの折れ端部外周にセンタリング具の筒状先端部を被せると共にセンタリング具の筒状先端部をネジ孔内周面と折れネジ外周面の間に差し込み、それらセンタリング具の中心に貫通されたポンチ孔差込孔内にポンチを差し込み、そのポンチの先端で折れネジの折れ端面であってネジ孔の中心部となる箇所に凹部を形成し、その凹部を中心としてドリルやエキストラクターによってネジをネジ孔から除去する方法である。本発明のセンタリング具は、前記各方法に使用されるものである。【選択図】図１
2009072870.tif 000002
【特許請求の範囲】
【請求項１】
ネジ孔内で又はネジ孔の外で折れてネジ孔に残ったネジをネジ孔から取り外す折れネジ除去方法において、ネジ孔内周面とネジ孔内の折れネジ外周面の間にセンタリング具の筒状先端部を差込み、又はネジ孔の外に突出している折れネジの折れ端部外周にセンタリング具の嵌合空間部を被せ、又はネジ孔の外に突出している折れネジの折れ端部外周にセンタリング具の筒状先端部を被せると共にセンタリング具の筒状先端部をネジ孔内周面と折れネジ外周面の間に差し込み、それらセンタリング具の中心に貫通されたポンチ孔差込孔内にポンチを差し込み、そのポンチの先端で折れネジの折れ端面であってネジ孔の中心部となる箇所に凹部を形成し、その凹部を中心として折れネジをドリルで切削することにより、又はその凹部にエキストラクターをセットしてエキストラクターを反時計回りに回転させることにより折れネジを逆回転させて、前記折れネジをネジ孔から除去することを特徴とする折れネジ除去方法。
【請求項２】
ネジ孔内で又はネジ孔の外で折れてネジ孔内に残ったネジをネジ孔から取り外すためのセンタリング具において、センタリング具の中心にポンチ差込孔が貫通され、センタリング具のポンチ差込孔開口方向の一方又は／及び双方の端部に、折れネジの折れ端部外周に被さる筒状先端部、又は嵌合空間部が形成され、筒状先端部の外周壁はネジ孔内周面と折れネジ外周面の間にネジ孔内周面に沿って差込みできる先細りであり、嵌合空間部は折れネジの外周面に沿って嵌合できる内径であることを特徴とするセンタリング具。
【請求項３】
ネジ孔内で又はネジ孔の外で折れてネジ孔内に残ったネジをネジ孔から取り外すためのセンタリング具であり、センタリング具の中心にポンチ差込孔が貫通され、センタリング具のポンチ差込孔開口方向一端に折れネジの折れ端部外周に被さり、ネジ孔内周面と折れネジ外周面の間にネジ孔内周面に沿って差込みできる先細りの筒状先端部が形成され、他端に折れネジの折れ端部外周に被さる嵌合空間部が形成され、嵌合空間部は折れネジの外周面に沿って被覆できる内径であることを特徴とするセンタリング具。
【発明の詳細な説明】
【技術分野】
【０００１】
本発明は、ネジ孔への締付け時又はネジ孔からの取外し時にネジ孔内で又はネジ孔の外で折れて、ネジ孔内に残ったネジをネジ孔から取り外す折れネジ除去方法と、折れネジの折れ端面であってネジ孔の中心部又は折れネジの折れ端面の中心部に凹部を形成するためのセンタリング具に関するものである。
【背景技術】
【０００２】
従来、ネジ孔への締付け時又はネジ孔からの取外し時にネジがネジ孔内外で折れることがあった。特に、締付けてから年数が経過して錆付いたネジは取り外し時に折れ易い。ネジ孔に残ったボルト、ビス等のネジ類（以下これらを纏めて「ネジ」とする。）をネジ孔から取り外す折れネジ除去方法としては、折れネジの折れ端面の中心部にエキストラクター（抜き取り器）をねじ込んで逆回転させて折れネジをねじ出して除去する方法があるが、錆ネジは回転不能であるためエキストラクターを使用しても除去できないことが多い。また、エキストラクターを使用するにしても、エキストラクターを圧入する溜めの凹陥部や差込孔等が必要であり、しかも、それらは折れネジの折れ端面中心に形成する必要がある。
【０００３】
折れ端面中心に凹部を形成するために、従来は特許文献１記載のような工具が用いられている。この工具はネジ孔に螺入或は差込み可能な軸部と、折れネジと螺合可能なナットとを備え、軸部とナットを組合せて使用するものである。軸部にはポンチを差込んで貫通させることのできるポンチ差込み孔が貫通されている。
【０００４】
【特許文献１】特表２０００−５０５３６３号公報。
【発明の開示】
【発明が解決しようとする課題】
【０００５】
前記特許文献１記載の工具を用いて凹部を形成して折れネジを除去する場合、次のような課題がある。
（１）工具を折れネジやネジ孔にセットする際、軸部をネジ孔に螺入させたり、ナットを折れネジと螺合させたりする必要があるため工具のセットに手間が掛かる。
（２）ネジ孔や折れネジが錆び付いている場合は、軸部をネジ孔に螺入させたり、ナットを折れネジと螺合させたりすることが難しい。
（３）軸部をネジ孔に螺入させたり、ナットを折れネジと螺合させたりすることができたとしても、螺合させた雄ネジと雌ネジとの間に生じる僅かなクリアランスのためにポンチ差込孔が折れネジの折れ端面の中心部や折れネジの折れ端面におけるネジ孔中心部となる箇所に正確に位置決めすることが難しい。このため凹部をネジ孔中心部に形成できず、折れネジを引き抜いたり削り落としたりする際にネジ孔が破損することもある。破損したネジ孔は再利用できないため新たなネジ孔をあけなければならない。新たなネジ孔は必ず前のネジ孔よりも大きくなるため場所によっては新たなネジ孔をあけにくいとか、あけることができないこともある。
【課題を解決するための手段】
【０００６】
本発明は、折れネジの折れ端面の中心部や折れネジの折れ端面であってネジ孔の中心部となる箇所に正確に凹部を形成した上で、エキストラクターやドリル刃によって折れネジを確実に除去できる折れネジ除去方法と、それに使用されるセンタリング具を提供するものである。
【０００７】
本件出願の折れネジ除去方法は、請求項１記載のように、ネジ孔内で又はネジ孔の外で折れてネジ孔に残ったネジをネジ孔から取り外す折れネジ除去方法において、ネジ孔内周面とネジ孔内の折れネジ外周面の間にセンタリング具の筒状先端部を差込み、又はネジ孔の外に突出している折れネジの折れ端部外周にセンタリング具の嵌合空間部を被せ、又はネジ孔の外に突出している折れネジの折れ端部外周にセンタリング具の筒状先端部を被せると共にセンタリング具の筒状先端部をネジ孔内周面と折れネジ外周面の間に差し込み、それらセンタリング具の中心に貫通されたポンチ孔差込孔内にポンチを差し込み、そのポンチの先端で折れネジの折れ端面であってネジ孔の中心部となる箇所に凹部を形成し、その凹部を中心として折れネジをドリルで切削することにより、又はその凹部にエキストラクターをセットしてエキストラクターを反時計回りに回転させることにより折れネジを逆回転させて、前記折れネジをネジ孔から除去するようにした。
【０００８】
本件出願のセンタリング具は、請求項２記載のように、ネジ孔内で又はネジ孔の外で折れてネジ孔内に残ったネジをネジ孔から取り外すためのセンタリング具において、センタリング具の中心にポンチ差込孔が貫通され、センタリング具のポンチ差込孔開口方向の一方又は／及び双方の端部に、折れネジの折れ端部外周に被さる筒状先端部、又は嵌合空間部が形成され、筒状先端部の外周壁はネジ孔内周面と折れネジ外周面の間にネジ孔内周面に沿って差込みできる先細りであり、嵌合空間部は折れネジの外周面に沿って嵌合できる内径にした。
【０００９】
本件出願の他のセンタリング具は、請求項３記載のように、ネジ孔内で又はネジ孔の外で折れてネジ孔内に残ったネジをネジ孔から取り外すためのセンタリング具であり、センタリング具の中心にポンチ差込孔が貫通され、センタリング具のポンチ差込孔開口方向一端に折れネジの折れ端部外周に被さり、ネジ孔内周面と折れネジ外周面の間にネジ孔内周面に沿って差込みできる先細りの筒状先端部が形成され、他端に折れネジの折れ端部外周に被さる嵌合空間部が形成され、嵌合空間部は折れネジの外周面に沿って被覆できる内径とした。
【発明の効果】
【００１０】
本件出願の折れネジ除去方法は次のような効果がある。
（１）センタリング具の筒状先端部を、折れネジが残っているネジ孔の内周面に添って差し込むので、センタリング具に差し込んだポンチで、折れネジの折れ端面であってネジ孔の中心部となる箇所に正確に凹部を形成できる。このため、その凹部にドリルの中心をセットして折れネジを切削除去すれば、ネジ孔から折れネジを確実に除去でき、しかもネジ孔は損傷せずにそのまま残るため、空になったネジ孔に新たなネジをねじ込むことができ、元の孔を再利用できる。このため、新たな孔をあける必要がない。
（２）前記凹部にエキストラクターをセットして、エキストラクターを反時計回りに回転させることにより折れネジを逆回転させて前記折れネジをネジ孔から除去できるので、折れネジの除去が容易且つ確実にでき、この場合も、元の孔がそのまま残るので、そのネジ孔を再利用でき、新たなネジ孔を開ける必要もない。
（３）センタリング具の筒状先端部を、折れネジが残っているネジ孔の内周面に添って差し込むだけでなく、ネジ孔の外に突出している折れネジの折れ端部外周にセンタリング具の嵌合空間部を被せることもできるため、折れネジがネジ孔の外に長く突出した場合であっても、センタリング具を所定位置に容易且つ正確にセットでき、折れネジの折れ端面であってネジ孔の中心部となる箇所に容易且つ正確に凹部を形成できる。
（４）センタリング具をネジ孔の外に突出している折れネジの折れ端部外周に被せて、センタリング具の筒状先端部をネジ孔内周面と折れネジ外周面の間に差し込むこともできるため、折れネジがネジ孔の外に短く突出した場合であっても、センタリング具を所定位置に容易且つ正確に差し込むことができ、折れネジの折れ端面であってネジ孔の中心部となる箇所に容易且つ正確に凹部を形成できる。
【００１１】
本件出願のセンタリング具は次のような効果がある。
（１）センタリング具のポンチ差込孔開口方向一端に折れネジの折れ端部外周に被さり、ネジ孔内周面と折れネジ外周面の間にネジ孔内周面に沿って差込みできる先細りの筒状先端部が形成されたので、センタリング具をネジ孔に螺入させずにセットすることができる。そのため、ネジ孔への着脱が容易であり、且つ、折れネジの折れ端面であってネジ孔の中心部となる箇所に正確に凹部形成することができ、凹部を中心にドリルで折れネジを切削した場合もネジ孔を傷つけるおそれがなく、確実且つスムースに折れネジを除去でき、ネジ孔の再利用も可能となる。
（２）折れネジの折れ端部外周に被さる嵌合空間部が形成されたので、センタリング具を折れネジと螺合させずにセット可能である。そのため、折れネジへの着脱が容易であり、且つ、折れネジの折れ端面の中心部となる箇所に正確に凹部形成することができ、ネジ孔を傷つけずに確実且つスムースに折れネジを除去でき、ネジ孔の再利用も可能となる。
（３）一端を筒状先端部、他端を嵌合空間部とした場合、折れネジの折れ残り状態に応じて、使用する端部を切り替えて、一本のセンタリング具で種々の折れ残り状態の折れネジに凹部を形成することができる。
【発明を実施するための最良の形態】
【００１２】
（折れネジ除去方法の実施形態１）
本発明の折れネジ除去方法の実施形態の一例を図１〜図３に基づいて以下に説明する。この実施形態の折れネジ除去方法は、ネジ孔への締付け時又はネジ孔からの取り外し時に折れ残ったボルトやビス等のネジ類（以下「折れネジ」とする。）をネジ孔から除去する方法であって、折れネジ１の折れ端部２がネジ孔３内に残った場合（図２ａ）、折れ端部２がネジ孔３から僅かに外側へ突出して残った場合（図２ｂ）、折れ端部２がネジ孔３から外側に突出して残った場合（図３）のいずれの場合の折れネジ１をも除去可能な方法である。本発明の折れネジ除去方法は、ネジ孔３への締付け時に折れた場合、ネジ孔３からの取り外し時に折れた場合のいずれの折れネジ１も除去可能である。
【００１３】
本実施形態の折れネジ除去方法は、図１に示すような、円筒状で中心部にポンチ差込孔６がある本体５と、そのポンチ差込孔６内に差込まれる本体５より長いポンチ７とを備えるセンタリング具４を用いる。このセンタリング具４は、図２（ａ、ｂ）に示すように、本体５の一端が、内側に折れネジ１の折れ端部２に被さる被覆空間部８が形成され、その外周を先細りに形成してネジ孔３内周面と折れネジ１外周面間のクリアランス９に嵌入可能とされた筒状先端部１０とされ、本体５の他端が、折れネジ１の折れ端部２外周に被さる内径の嵌合空間部１１が形成され、その嵌合空間部１１の外側が、折れネジ１の外周面を覆う被覆部１２とされている。
【００１４】
（折れネジの折れ端面がネジ孔内に残った場合）
図２（ａ、ｂ）に示すように、ネジ孔３への締付け時又はネジ孔３からの取り外し時にネジ孔３内で折れて折れ端部２がネジ孔３内に残った場合の折れネジ１をネジ孔３から取り除く方法について説明する。この場合、まず、図２（ａ、ｂ）に示すように、本体５の筒状先端部１０をネジ孔３内周面と折れネジ１外周面間のクリアランス９に嵌入する。本体５がセットされると、本体５のポンチ差込孔６は、折れネジ１の折れ端部２であってネジ孔３の中心部となる箇所の真上に配置される。本体５がセットされたら、ポンチ７を上からポンチ差込孔６に差込んで貫通させ、ポンチ７の先端部（下端部）１３で、折れネジ１の折れ端部２であってネジ孔３の中心部となる箇所に凹部を形成する。形成した凹部を中心としてネジ孔３の径より少し小さいドリルで折れネジ１を切削して除去する。又は、その凹部にエキストラクターをセットして折れネジ１を逆回転させて折れネジ１をネジ孔３から取り除くこともできる。前記エキストラクターをセットする前には凹部を中心にして穴を開けてエキストラクターをねじ込み易くしておくこともできる。
【００１５】
（折れネジの折れ端面がネジ孔外に僅かに突出した場合）
図２（ｃ）に示すように、ネジ孔３への締付け時又はネジ孔からの取り外し時にネジ孔３の外で折れて、その折れ端部２がネジ孔３外に僅かに突出して残った場合の折れネジ１をネジ孔３から取り除く方法について説明する。この場合も、まず図２（ｃ）に示すように、本体５の筒状先端部１０をネジ孔３内周面と折れネジ１外周面間のクリアランス９に嵌入する。このとき、被覆空間部８は折れネジ１の折れ端部２外周に被せられる。本体５がセットされると、本体５のポンチ差込孔６は、折れネジ１の折れ端部２であってネジ孔３の中心部となる箇所の真上に配置される。本体５がセットされたら、ポンチ７を上からポンチ差込孔６に差込んで貫通させ、ポンチ７の先端部１３で、折れネジ１の折れ端部２であってネジ孔３の中心部となる箇所に凹部を形成する。凹部を形成した後は、前記の場合と同様に、形成した凹部を中心としてドリルやエキストラクターを用いて折れネジ１をネジ孔３から取り除くことができる。この方法は、折れ端部２のネジ孔３からの突出長が被覆空間部８の奥行きより短い場合に用いられる。折れ端部２のネジ孔３からの突出長が被覆空間部８の奥行きより長い場合は、後述の図３のように、被覆部１２によって折れネジ１を被覆する方法を使用する。
【００１６】
（折れネジの折れ端面がネジ孔外に突出した場合）
図３に示すように、ネジ孔３への締付け時又はネジ孔からの取り外し時にネジ孔３の外で折れて、その折れ端部２がネジ孔３外に突出して残った場合の折れネジ１をネジ孔３から取り除く方法について説明する。この場合、まず、図３に示すように、折れネジ１の折れ端部２外周に、センタリング具４の被覆部１２を被せて本体５を折れネジ１にセットする。この方法は、図３のように折れ端部２のネジ孔３からの突出長が被覆空間部８の奥行きより長い場合に用いられる。本体５がセットされると、本体５のポンチ差込孔６は、折れネジ１の折れ端部２の中心部となる箇所の真上に配置される。本体５がセットされたら、ポンチ７を上からポンチ差込孔６に差込んで貫通させ、ポンチ７の先端部１３で折れ端部２の中心部に凹部を形成する。凹部を形成した後は、前記の場合と同様に、形成した凹部を中心としてエキストラクターやドリルを用いて折れネジ１をネジ孔３から取り除くことができる。
【００１７】
（折れネジ除去方法の実施形態２）
本発明の折れネジ除去方法の実施形態の他の例を図４に基づいて説明する。この折れネジ除去方法は、図４に示すように、ネジ孔３への締付け時又はネジ孔からの取り外し時にネジ孔３の外で折れて、その折れ端部２がネジ孔３外に突出して残った場合の折れネジ１について使用できる方法である。この実施形態では、センタリング具４として、図４に示すように、本体５の一端に、折れネジ１の外周面を被覆できる内径の嵌合空間部１１が形成され、その嵌合空間部１１の外側が、折れネジ１の外周面を覆う被覆部１２とされているものを用いる。この嵌合空間部１１は端部広がりに形成されている。また、この本体５の他端には嵌合空間部１１等が設けられていない。本体５の嵌合空間部１１が端部広がりに形成されているため、一つの本体５を径の異なる各種折れネジ１についてセットすることができ（図４中一点鎖線部参照。）、夫々の折れネジ１について、折れ端部２の中心部に凹部を形成することができる。凹部を形成した後は、前記実施形態１と同様に、形成した凹部を中心としてエキストラクターやドリルを用いて折れネジ１をネジ孔３から取り除くことができる。
【００１８】
（折れネジ除去方法の他の実施形態）
本発明の折れネジ除去方法においては、センタリング具４として、本体５の一端に、図１、図２と同様に、折れネジ１の折れ端部２に被さる被覆空間部８を形成し、その被覆空間部８の外周面を先細りに形成してネジ孔３内周面と折れネジ１外周面間のクリアランス９に嵌入可能な筒状先端部１０としたものであって、他端には、被覆空間部を設けないか、又は、一端側の被覆空間部８及び筒状先端部１０とは径の異なる被覆空間部及び筒状先端部を備えたものを使用することもできる。この場合、前記折れネジの折れ端面がネジ孔内に残った場合（図２ｂ参照。）及び折れネジの折れ端面がネジ孔外に僅かに突出した場合（図２ｃ参照。）の折れネジ１のみをネジ孔３から除去できることとなる。
【００１９】
本発明の折れネジ除去方法においては、センタリング具４として、本体５の一端に、図３、図４と同様に、折れネジ１の外周面を被覆できる内径の嵌合空間部１１を形成し、その嵌合空間部１１の外側を折れネジ１の外周面を覆う被覆部１２としたものであって、他端には、嵌合空間部を設けないか、又は、一端側の嵌合空間部１１及び被覆部１２とは径や形状の異なる嵌合空間部及び被覆部を備えたものを使用することもできる。嵌合空間部１１の形状は、図２、図３に示す直筒形とすることも、図４に示す端部広がりとすることもできる。この場合、前記ネジ孔３への締付け時又はネジ孔からの取り外し時にネジ孔３の外で折れて、その折れ端部２がネジ孔３外に突出して残った場合（図３、図４参照。）の折れネジ１のみをネジ孔３から除去できることとなる。
【００２０】
（センタリング具の実施形態１）
本発明のセンタリング具の実施形態の一例を、図１〜図３に基づいて説明する。センタリング具４は、前記折れネジ除去方法の実施の際に折れネジ１の折れ端部２に凹部を形成するための器具である。本発明のセンタリング具４は、図１〜図３に示すように、円筒状で中心部にポンチ差込孔６がある本体５と、そのポンチ差込孔６内に差込まれ、先端部１３を凹部形成用に尖らせた丸棒状の本体５より長いポンチ７とを備える。本体５の一端側は、内側に折れネジ１の折れ端部２に被さる被覆空間部８を形成し、そのの外周面を先細りに形成してネジ孔３内周面と折れネジ１外周面間のクリアランス９に嵌入可能とした筒状先端部１０とされている。本体５の他端側は、折れネジ１の外周面を被覆できる内径の嵌合空間部１１が形成され、その嵌合空間部１１の外側を折れネジ１の外周面を覆う被覆部１２としている。前記本体５及びポンチ７は、任意の素材で形成することができるが、鋼鉄製など、折れネジ１の折れ端部２に凹部を形成可能な硬度を有する金属製とすることが望ましい。
【００２１】
前記本体５の軸方向に設けられたポンチ差込孔６は、ポンチ７を差込んで摺動可能な径に開口されている。
【００２２】
前記筒状先端部１０は、図２（ｂ）に示すような、ネジ孔３への締付け時又はネジ孔３からの取り外し時にネジ孔３内で折れて折れ端部２がネジ孔３内に残った場合の折れネジ１の外周面と、ネジ孔３の内周面との間のクリアランス９に嵌入できる。筒状先端部１０をクリアランス９に嵌入してセットすると、前記ポンチ差込孔６が折れネジ１の折れ端部２であってネジ孔３の中心部となる箇所の真上に配置される。その状態でポンチ７を上からポンチ差込孔６に差込んで貫通させ、ポンチ７の先端部（下端部）１３で折れネジ１の折れ端部２を打突して、折れネジ１の折れ端部２であってネジ孔３の中心部となる箇所に凹部を形成することができる。
【００２３】
筒状先端部１０は、図２（ｃ）に示すような、折れ端部２がネジ孔３外に僅かに突出して残った場合の折れネジ１の外周面と、ネジ孔３の内周面との間のクリアランス９にも嵌入することができる。突出した折れ端部２は、被覆空間部８で被覆される。この場合も同様に、折れネジ１の折れ端部２であってネジ孔３の中心部となる箇所に凹部を形成することができる。
【００２４】
前記被覆部１２は、図３に示すように、内側の嵌合空間部１１によって、折れ端部２がネジ孔３外に突出して残った場合の折れネジ１の外周面を被覆できる。この嵌合空間部１１は、折れネジ１を被覆できる折れネジ１の径より少し大きい内径の筒形に形成されており、折れネジ１にセットした本体５がガタつかないようにしてある。折れネジ１を被覆部１２で被覆して本体５をセットすると、前記ポンチ差込孔６が折れネジ１の折れ端部２の中心部の真上に配置される。その状態でポンチ７を上からポンチ差込孔６に差込んで貫通させ、ポンチ７の先端部１３で折れネジ１の折れ端部２を打突して、折れネジ１の折れ端部２の中心部に凹部を形成することができる。
【００２５】
（センタリング具の実施形態２）
本発明のセンタリング具の実施形態の他の例について図４に基づいて説明する。図４に示すように、このセンタリング具４は、本体５の一端に、折れネジ１の外周面を被覆できる内径の嵌合空間部１１が形成され、その嵌合空間部１１の外側が、折れネジ１の外周面を覆う被覆部１２とされたものであり、前記嵌合空間部１１が端部広がりに形成されたものである。また、この本体５の他端には嵌合空間部１１等が設けられていない。本体５の嵌合空間部１１が端部広がりに形成されているため、一つの本体５を、径の異なる各種折れネジ１についてセットすることができ（図４中一点鎖線部参照。）、夫々の折れネジ１について、折れ端部２の中心部に凹部を形成することができる。
【００２６】
（センタリング具の実施形態３）
前記実施形態１記載のセンタリング具について、本体５の一端の嵌合空間部１１を端面広がりに形成し（図２ａ、図３中破線部参照。）、一つの本体５を径の異なる各種折れネジ１についてセット可能とすることもできる。
【００２７】
（センタリング具のその他の実施形態）
本発明のセンタリング具は、本体５の一端に、図１、図２と同様に、折れネジ１の折れ端部２に被さる被覆空間部８を形成し、その被覆空間部８の外周面を先細りに形成してネジ孔３内周面と折れネジ１外周面間のクリアランス９に嵌入可能な筒状先端部１０としたものであって、他端には、被覆空間部を設けないか、又は、一端側の被覆空間部８及び筒状先端部１０とは径の異なる被覆空間部及び筒状先端部を備えたものとすることもできる。この場合、前記折れネジ１の折れ端面２がネジ孔３内に残った場合（図２ｂ参照。）及び折れネジ１の折れ端面２がネジ孔３外に僅かに突出した場合（図２ｃ参照。）の折れネジ１の折れ端部２であってネジ孔３の中心部となる箇所に凹部を形成することができる。
【００２８】
本発明のセンタリング具は、本体５の一端に、図３、図４と同様に、折れネジ１の外周面を被覆できる内径の嵌合空間部１１を形成し、その嵌合空間部１１の外側を折れネジ１の外周面を覆う被覆部１２としたものであって、他端には、嵌合空間部を設けないか、又は、一端側の嵌合空間部１１及び被覆部１２とは径や形状の異なる嵌合空間部及び被覆部を備えたものとすることもできる。嵌合空間部１１の形状は、図２、図３に示す直筒形とすることも、図４に示す端部広がりとすることもできる。この場合、前記ネジ孔３への締付け時又はネジ孔からの取り外し時にネジ孔３の外で折れて、その折れ端部２がネジ孔３外に突出して残った場合（図３、図４参照。）の折れネジ１の折れ端部２の中心部に凹部を形成することができる。
【産業上の利用可能性】
【００２９】
本発明の折れネジ除去方法及びそれに用いられるセンタリング具は、折れネジのネジ孔からの除去作業には限られず、物体の中心に正確に孔を設ける孔あけ作業等、各種作業に利用することもできる。
【図面の簡単な説明】
【００３０】
【図１】本発明のセンタリング具の実施形態の一例を示す斜視図。
【図２】（ａ）は、図１に示すセンタリング具の本体の筒状先端部をネジ孔にセットする様子を示す断面説明図。（ｂ）（ｃ）は、筒状先端部をネジ孔内周面と折れネジ外周面間のクリアランスに嵌入した様子を示す断面説明図。
【図３】図１に示すセンタリング具の本体の被覆部で折れネジを被覆した様子を示す断面説明図。
【図４】本発明のセンタリング具の実施形態の他の一例を示す断面説明図。
【符号の説明】
【００３１】
１  折れネジ
２  折れ端部
３  ネジ孔
４  センタリング具
５  本体
６  ポンチ差込孔
７  ポンチ
８  被覆空間部
９  クリアランス
１０  筒状先端部
１１  嵌合空間部
１２  被覆部
１３  先端部
【図１】
2009072870.tif 000003
【図２】
2009072870.tif 000004
【図３】
2009072870.tif 000005
【図４】
2009072870.tif 000006